(57)【要約】【課題】１台で眼鏡或いは腕時計や指輪のような比較的大きなものとコンタクトレンズのような比較的小さいもののいずれも洗浄できるようにする。【解決手段】洗浄槽２に収容されると共に、被洗浄物であるコンタクトレンズ１２を収容可能で且つ水面２４Ａに浮くように構成された洗浄容器１３を設けたことにより、眼鏡２３を洗浄する場合、この眼鏡２３と共に洗浄液１０を前記洗浄槽２に収容して発振装置３を作動させることで洗浄を行い、一方、コンタクトレンズ１２を洗浄する場合、前記洗浄槽２内の水２４に前記洗浄容器１３を浮かべ、この洗浄容器１３内のコンタクトレンズ１２を洗浄することにより、眼鏡２３のようなものの他、コンタクトレンズ１２のような、比較的小さく且つ小さい振動強度が求められる被洗浄物の洗浄を行うことができる。【選択図】  図１
2008178804.tif 000002
【特許請求の範囲】
【請求項１】
洗浄槽と、該洗浄槽に装着した発振装置とを備えて成る洗浄器において、前記洗浄槽に収容されると共に、被洗浄物を収容可能で且つ前記洗浄槽の底面より浮く洗浄容器を設けたことを特徴とする洗浄器。
【請求項２】
前記洗浄容器が、前記被洗浄物と共にこの被洗浄物の洗浄液を収容可能に構成されていることを特徴とする請求項１記載の洗浄器。
【請求項３】
前記洗浄容器が、底板部とその周囲に立ち上る側板部とを備え、この側板部に喫水表示部を設けたことを特徴とする請求項１又は２記載の洗浄器。
【請求項４】
前記洗浄容器が、前記被洗浄物と洗浄液を収容する空間を密閉する蓋部を有することを特徴とする請求項２〜３のいずれか１項に記載の洗浄器。
【請求項５】
前記洗浄槽が眼鏡を収容可能な大きさに形成され、前記被洗浄物がコンタクトレンズであり、前記発振装置が超音波振動子を有することを特徴とする請求項１〜５のいずれか１項に記載の洗浄器。
【発明の詳細な説明】
【技術分野】
【０００１】
本発明は、洗浄槽に発振装置を装着した洗浄器に関するものである。
【背景技術】
【０００２】
従来、眼鏡の洗浄器として、眼鏡を収容可能な洗浄槽と、該洗浄槽に収容した洗浄用液体を励振させる超音波振動子を備え、洗浄槽に眼鏡或いは腕時計のベルトや指輪等を収容して超音波を利用して洗浄する洗浄器が知られている（例えば特許文献１、２）。
【０００３】
さらに、コンタクトレンズの洗浄器として、平面が楕円形で浅底状の洗浄槽の下面に圧電振動子が装着されており、コンタクトレンズを収容した蓋付きのレンズホルダを洗浄槽に収容した洗浄液に浸漬して、コンタクトレンズに超音波振動エネルギーを伝えることで洗浄を行うものも知られている（例えば特許文献３）。
【特許文献１】実開平３−１０５９８４号公報
【特許文献２】特開２００３−２５１２８８号公報
【特許文献３】特開平９−５４２８９号公報
【発明の開示】
【発明が解決しようとする課題】
【０００４】
前記従来技術の洗浄器は、眼鏡或いは腕時計のベルトや指輪等を収容できる程度の洗浄槽を備えた比較的大型の洗浄器や、レンズホルダを収容する洗浄槽を備えた比較的小型のコンタクトレンズ用の洗浄器がそれぞれ別途に使用されていたものであるから、例えば、コンタクトレンズを使用する人の中には、予備的に眼鏡を使用する人も多いので、眼鏡用とコンタクトレンズ用の洗浄器を両方備えておく必要がある。また、腕時計のベルトや指輪等を洗浄する人にとっても、コンタクトレンズを使用している人にとっては両方の洗浄器を備えておく必要がある。
【０００５】
本発明は以上の問題点を解決し、１台で眼鏡或いは腕時計のベルトや指輪のような比較的大きなものとコンタクトレンズのような比較的小さいものの何れも洗浄できる洗浄器を提供することである。
【課題を解決するための手段】
【０００６】
請求項１の発明は、洗浄槽と、該洗浄槽に装着した発振装置とを備えて成る洗浄器において、前記洗浄槽に収容されると共に、被洗浄物を収容可能で且つ前記洗浄槽の底面より浮く洗浄容器を設けたことを特徴とする洗浄器である。
【０００７】
請求項２の発明は、前記洗浄容器が、前記被洗浄物と共にこの被洗浄物の洗浄液を収容可能に構成されていることを特徴とする請求項１記載の洗浄器である。
【０００８】
請求項３の発明は、前記洗浄容器が、底板部とその周囲に立ち上る側板部とを備え、この側板部に喫水表示部を設けたことを特徴とする請求項１又は２記載の洗浄器である。
【０００９】
請求項４の発明は、前記洗浄容器が、前記被洗浄物と洗浄液を収容する空間を密閉する蓋部を有することを特徴とする請求項２〜３のいずれか１項に記載の洗浄器である。
【００１０】
請求項５の発明は、前記洗浄槽が眼鏡を収容可能な大きさに形成され、前記被洗浄物がコンタクトレンズであり、前記発振装置が超音波振動子を有することを特徴とする請求項１〜５のいずれか１項に記載の洗浄器である。
【発明の効果】
【００１１】
請求項１の発明によれば、比較的大きな物体を洗浄する際には、この物体と共に水と少量の洗剤を前記洗浄槽に収容して洗浄を行い、一方、比較的小型の被洗浄物を洗浄する際には、水に浮く或いは前記洗浄槽の底部から浮いた状態で支持される洗浄容器を利用して洗浄を行うことにより、１台で２種類の洗浄を行うことができる。
【００１２】
請求項２の発明によれば、前記洗浄容器に収容された洗浄液を介して被洗浄物を洗浄することができるので、特殊な洗浄液が必要な被洗浄物であっても、この被洗浄物のための特殊な洗浄液を前記洗浄容器に収容されるだけの量で済ますことができる。
【００１３】
請求項３の発明によれば、前記喫水表示部を目安として前記洗浄容器に洗浄液を入れることで、前記洗浄容器を安定させることができる。
【００１４】
請求項４の発明によれば、前記洗浄容器に前記洗浄槽の水が入り込むことが前記蓋部によって阻止されるので、特殊な洗浄液を用いる場合であっても、この洗浄液と前記洗浄容器外の液体が混ざるようなことはなくなる。
【００１５】
請求項５の発明によれば、眼鏡とコンタクトレンズの両方を１台で洗浄できる。
【発明を実施するための最良の形態】
【００１６】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１７】
図１〜図３は実施例１を示しており、洗浄器１は、洗浄槽２と、この洗浄槽２に装着された発振装置３とを備えて構成されている。そして、前記洗浄槽２は、底板４とこの底板４の周囲から立ち上がる側板５とを有して一体形成されていると共に、上部に開口部６が形成されている。また、前記洗浄槽２は、外枠ケース７の内側に固定されている。また、前記洗浄槽２の上部開口部６を開閉する蓋８が、ヒンジ９を介して前記外枠ケース７に回動自在に設けられていると共に、前記蓋８の中央側が透明板部８Ａによって形成されており、前記蓋８を閉じた状態でも、前記透明板部８Ａを通して前記洗浄槽２の内側を視認できるように構成されている。そして、前記洗浄槽２の底板４の下面に前記発振装置３が装着されている。この発振装置３は、前記洗浄槽２に収容された洗浄液１０を励振させるための超音波振動子３Ａを有するものであって、この超音波振動子３Ａは図示しない商用電源や前記外枠ケース７に内蔵された電池等によって駆動されるようになっている。なお、前記蓋８には、前記発振装置３を操作するためのスイッチ１１が設けられている。
【００１８】
前記洗浄槽２に収容される１個或いは左右一対の被洗浄物であるコンタクトレンズ１２を収容可能なレンズホルダーの役割を果たす洗浄容器１３は、底板部１４とこの底板部１４の周囲から立ち上がる側板部１５とを有して一体形成されていると共に、上方に開口部１３Ａが形成されて全体として浅底容器状に形成されており、この開口部１３Ａに蓋部１６が開閉自在に設けられていることで、この蓋部１６の閉時において前記洗浄容器１３の内部が密閉して密閉空間１７が形成されるようになっている。なお、１８は前記蓋部１６の上面に突設した摘みである。そして、前記洗浄容器１３の側板部１５の内面には、コンタクトレンズ用洗浄液１９の収容液面表示部２０が横長状の突起や印刷部によって設けられている。なお、前記収容液面表示部２０の位置は、前記側板部１５の上端よりも低く、且つ前記底板部１４の上面から前記収容液面表示部２０までの高さＨは、前記コンタクトレンズ１２の厚みよりも大きい。一方、前記洗浄容器１３の側板部１５の外面には、前記収容液面表示部２０よりもやや高い位置に、喫水表示部２１が横長状の突起や印刷部によって設けられている。この喫水表示部２１は、後述する水２４の水面２４Ａに前記洗浄容器１３を浮かべた際に、前記洗浄容器１３が沈む深さの許容限度を表示している。即ち、前記コンタクトレンズ１２と洗浄液１９を収容すると共に、前記蓋部１６が閉じられた状態で前記洗浄容器１３が安定して水面２４Ａに浮く状態を維持できるように、前記喫水表示部２１が設けられている。なお、図中２２は前記洗浄槽２に挿入される通水可能な籠であって、眼鏡２３等を収容できる大きさに形成されている。
【００１９】
次に、前記構成について、その作用を説明する。前記眼鏡２３（或いは図示しない腕時計のベルトや指輪等）を洗浄する場合、まず前記洗浄槽２に前記籠２２を挿入した後、前記洗浄液１０を収容すると共に、この洗浄液１０に浸るように前記眼鏡２３を前記籠２２に入れて収容する。この場合、前記洗浄液１０は、水で希釈された薄い洗剤であり、予め調整された前記洗浄液１０を前記洗浄槽２に注いでも、前記洗浄槽２に収容された水に少量の洗剤を加えることで前記洗浄槽２内で前記洗浄液１０を調整するようにしてもよい。そして、前記蓋８を閉じると共に、前記スイッチ１１を操作して前記発振装置３を作動させると、前記洗浄液１０を媒体として前記眼鏡２３が超音波領域の振動数で振動して超音波洗浄が行われる。なお、この洗浄によって取り除かれた前記眼鏡２３等の汚れは、前記洗浄液１０内に分散する。そして、洗浄の終わった前記眼鏡２３等は、前記籠２２を引き上げることで前記洗浄槽２内から取り出される。
【００２０】
一方、前記コンタクトレンズ１２を洗浄する場合、前記洗浄槽２に水２４を収容する。そして、前記コンタクトレンズ１２を前記洗浄容器１３に収容し、この洗浄容器１３に前記洗浄液１９を収容する。なお、この洗浄液１９の前記洗浄容器１３内における液位は、前記収容液面表示部２０の高さまでとする。これは、その高さ以上に前記洗浄液１９を前記洗浄容器１３に収容すると、この洗浄容器１３を前記水２４に浮かべた際に、前記水面２４Ａよりも前記喫水表示部２１が低くなってしまうので、前記洗浄容器１３を安定した状態で前記水２４に浮かせることが難しくなるからである。この後、前記洗浄容器１３の開口部１３Ａを前記蓋部１６によって閉じることで、前記洗浄容器１３の内側を密閉状態とする。そして、前記洗浄容器１３を前記洗浄槽２内の水２４に浮かせた後、前記蓋８を閉じると共に、前記スイッチ１１を操作して前記発振装置３を作動させると、この発振装置３の超音波振動が前記水２４を媒体として前記洗浄容器１３を超音波領域の振動数で振動させ、さらにこの前記洗浄容器１３の超音波振動が、前記洗浄液１９を媒体として前記コンタクトレンズ１２を超音波領域の振動数で振動させて超音波洗浄が行われる。
【００２１】
この際、前記コンタクトレンズ１２は、前記眼鏡２３のように前記洗浄槽２と洗浄液１０を介して三次的に振動させられるものではなく、前記洗浄槽２，水２４、洗浄容器１３及び洗浄液１９を介して前記コンタクトレンズ１２を五次的に超音波洗浄するので、前記発振装置３からの超音波振動は、前記コンタクトレンズ１２を超音波洗浄するのに適正な強度に弱められてこのコンタクトレンズ１２に伝わることとなり、これによって、前記コンタクトレンズ１２を良好に超音波洗浄することができる。なお、前記コンタクトレンズ１２は眼と接触して使用されるものであるため、衛生上の理由からコンタクトレンズ用の前記洗浄液１９を用いており、他の液体と混合することは衛生上好ましくないが、前述したように、前記洗浄容器１３の開口部１３Ａが前記蓋部１６によって閉じられていることで、飛沫程度であれば前記洗浄容器１３の開口部１３Ａを閉じる前記蓋部１６によって遮られるので、前記水２４が前記洗浄液１９と混ざることを防止して、前記コンタクトレンズ１２を衛生上好ましい状態で洗浄することができる。また、この洗浄によって取り除かれた前記コンタクトレンズ１２等の汚れは、前記洗浄液１９内に分散する。そして、洗浄の終わった前記コンタクトレンズ１２等は、前記洗浄容器１３を前記洗浄槽２内から取り出し、前記蓋部１６を取り外して前記洗浄液１９を捨てることで取り出される。
【００２２】
なお、前記洗浄容器１３に前記コンタクトレンズ１２以外の小物を入れて超音波洗浄する場合、衛生上の問題がなければ、通常の洗浄液１０を用いてもよい。また、前記洗浄槽２内に前記籠２２と眼鏡２３等が入れられた状態で、前記コンタクトレンズ１２と洗浄液１９が入れられた洗浄容器１３を前記洗浄槽２内に浮かべることで、洗浄するのに大きい振動強度が求められる前記眼鏡２３等の超音波洗浄と、洗浄するのに比較的小さい振動強度が求められる前記コンタクトレンズ１２の超音波洗浄を同時に行うこともできる。この場合、前記洗浄槽２内には、前記水２４ではなく、前記洗浄液１０が入れられ、この洗浄液１０に前記洗浄容器１３が浮かべられる。
【００２３】
以上のように、前記実施例では、洗浄槽２に収容されると共に、被洗浄物であるコンタクトレンズ１２を収容可能で且つ水面２４Ａに浮くように構成された洗浄容器１３を設けたことにより、眼鏡２３を洗浄する場合、この眼鏡２３と共に洗浄液１０を前記洗浄槽２に収容して発振装置３を作動させることで洗浄を行い、一方、コンタクトレンズ１２を洗浄する場合、前記洗浄槽２内の水２４に前記洗浄容器１３を浮かべて、この洗浄容器１３内のコンタクトレンズ１２を洗浄することにより、眼鏡２３のような、サイズが比較的大きく且つ大きい振動強度が求められる被洗浄物の洗浄を行う場合と、コンタクトレンズ１２のような、サイズが比較的小さく且つ小さい振動強度が求められる被洗浄物の洗浄を行う場合の２種類の洗浄を１台で行うことができる。
【００２４】
また、前記洗浄容器１３は、被洗浄物である前記コンタクトレンズ１２と共にコンタクトレンズ用の洗浄液１９を収容可能に設けたことで、この洗浄液１９を介して前記コンタクトレンズ１２を洗浄することができるので、衛生上好ましい状態で前記コンタクトレンズ１２を洗浄することができる。
【００２５】
さらに、前記洗浄容器１３を構成する、底板部１４の周囲から立ち上る側板部１５に喫水表示部２１を設けたことにより、この喫水表示部２１を目安として前記洗浄容器１３を安定状態で前記洗浄槽２内の水１０に浮かせることができる。
【００２６】
しかも、前記洗浄容器１３は、開口部１３Ａを覆う蓋部１６を備えることで、前記コンタクトレンズ１２と洗浄液１９を収容する空間が密閉可能であることにより、前記洗浄容器１３内に前記洗浄槽２内の水２４が入り込むようなことがなく、衛生上好ましい状態で前記コンタクトレンズ１２の洗浄を行うことができる。
【００２７】
また、前記洗浄槽２が前記眼鏡２３を収容可能な大きさに形成され、前記洗浄容器１３内に被洗浄物としてのコンタクトレンズ１２を収納して洗浄することができるので、前記眼鏡２３とコンタクトレンズ１２の両方を使用する人にとっては１台で両方を洗浄でき、しかも、前記発振装置３が超音波振動子であるので、前記眼鏡２３とコンタクトレンズ１２を超音波領域の振動数で振動させることで、これらを良好に洗浄することができる。
【実施例２】
【００２８】
図４は実施例２を示しており、前記実施例１と同一部分には同一符号を付し、その詳細な説明を省略する。実施例２は、コンタクトレンズ１２を収容可能で洗浄槽２の底面より浮いた状態に置かれる洗浄容器１３を、前記洗浄槽２内の水２４の水面２４Ａに自由に浮かすのではなく、前記洗浄槽２の底板４と前記洗浄容器１３との間に支持体２５を設け、前記洗浄容器１３が前記水面２４Ａの所定の位置、実施例では前記洗浄槽２のほぼ中央位置に浮いた状態で支持されるものである。そして、前記支持体２５は、仮に前記洗浄容器１３の浮力が充分でなくとも前記水面２４Ａに浮いた状態にしておくことができるものである。なお、前記支持体２５は、前記洗浄容器１３と一体であっても、或いは離脱可能なように別体に設けられていてもよい。
【００２９】
この際、前記コンタクトレンズ１２は、前記洗浄槽２，水２４、洗浄容器１３及びコンタクトレンズ用の洗浄液１９を介して前記コンタクトレンズ１２を五次的に超音波洗浄するので、前記発振装置３からの超音波振動は、前記コンタクトレンズ１２を超音波洗浄するのに適正な強度に弱められてこのコンタクトレンズ１２に伝わることとなり、これによって、前記コンタクトレンズ１２を良好に超音波洗浄することができる。
【００３０】
また、図示しない腕時計のベルトを洗浄する場合、前記支持体２５に腕時計を取り付けて、腕時計の本体を前記洗浄液１０の液面上に位置させると共に、腕時計のベルトのみを洗浄液１０中に位置させることで、腕時計のベルトのみを超音波洗浄し、超音波振動によって前記腕時計本体内部に洗浄液が侵入しないようにすることができる。
【産業上の利用可能性】
【００３１】
以上のように本発明に係る洗浄器は、眼鏡、コンタクトレンズ、腕時計や指輪などの他に各種の宝飾品等の用途にも適用できる。
【図面の簡単な説明】
【００３２】
【図１】本発明の実施例１を示す断面図である。
【図２】本発明の実施例１を示す蓋部を開いた状態の斜視図である。
【図３】本発明の実施例１を示す他の使用状態の断面図である。
【図４】本発明の実施例２を示す断面図である。
【符号の説明】
【００３３】
２  洗浄槽
３  発振装置
３Ａ  超音波振動子
４  底板（洗浄槽の底面）
１２  コンタクトレンズ（被洗浄物）
１３  洗浄容器
１４  底板部
１５  側板部
１６  蓋部
１７  密閉空間
１９  洗浄液
２１  喫水表示部
２３  眼鏡
【図１】
2008178804.tif 000003
【図２】
2008178804.tif 000004
【図３】
2008178804.tif 000005
【図４】
2008178804.tif 000006